(57)【要約】 【課題】本発明は、家具、パソコン、建物内部の床壁、建具の桟等の凹凸のある面や隅部に付着している埃を除去する埃除去具を提供する。【解決手段】本発明の埃除去具は、刷毛状部材保持部９の先端に掃出し刷毛状部材３が装着され、当該刷毛状部材保持部９の周囲に前記掃出し刷毛状部材３によって除去された埃を捕捉するための捕捉部材が装着されていることを特徴とする。【選択図】  図1
2012228502.tif 000002
【特許請求の範囲】
【請求項１】
刷毛状部材保持部の先端に掃出し刷毛状部材が装着され、当該刷毛状部材保持部の周囲に前記掃出し刷毛状部材によって除去された埃を捕捉するための捕捉部材が装着されている埃除去具。
【請求項２】
前記捕捉部材は、多数の切り込みが形成されている請求項１記載の埃除去具。
【請求項３】
前記捕捉部材は、繊維集合体又は、不織布等のシート体で形成されている請求項１又は２のいずれかに記載の埃除去具。
【請求項４】
前記捕捉部材は、帯電性を有する部材で形成されている請求項１から３のいずれかに記載の埃除去具。
【請求項５】
前記捕捉部材は、刷毛状部材保持部に着脱可能に取り付けされている請求項１から４のいずれかに記載の埃除去具。
【請求項６】
前記刷毛状部材は、刷毛状部材保持部に着脱可能に取り付けされている請求項１から５のいずれかに記載の埃除去具。
【発明の詳細な説明】
【技術分野】
【０００１】
本発明は、家具、パソコン、建物内部の床壁、建具の桟等の凹凸のある面や隅部の埃を除去する埃除去具に関するものである。
【背景技術】
【０００２】
従来より、家具、パソコン、建物内部の壁、建具の桟等に付いた埃を取り除くための清掃具として、はたきや繊維束、不織布等のシートからなる清掃具が用いられている。しかしながら、はたきは埃を飛ばして払うもので、埃を取る機能がなかった。また、繊維束や不織布等のシートからなる清掃具は、平坦な表面に付着している埃であれば容易に除去することができるが、刷毛状でなく、また腰が弱いため、家具、パソコン、建物内部の床壁、建具の桟等の凹凸のある面や細かい隙間や隅部等に付着した埃を掃き出して除去することは困難であった。
【０００３】
このため、この種の清掃具としては、例えば、特許文献１に示すような清掃モップや、特許文献２に示す清掃具や、特許文献３に示す隙間用除塵ブラシが開示されている。
【０００４】
ところが、文献１の清掃モップでは、刷毛が全て熱溶着されているため刷毛が汚れた場合は刷毛全てを取り替えなければならず不経済である。また、木台のホルダーの下面に刷毛を取り付ける構成のため、細かい部分の溝などを目で確認しながら埃を除去することが困難である。
【０００５】
また、文献２の清掃具では、シート基材の繊維束に気体又は液体を供給する構造のためコストがかかる。また、掃出し刷毛状部が柄の下面部に長手方向に設けられているため、パソコンのキーボードや家電製品等のスイッチパネル等のような細かい隙間の埃を除去することが困難である。
【０００６】
また、文献３の隙間用除塵ブラシでは、複数の毛が擦れ合うことで静電気が帯電し、その静電気によって塵や埃を吸着するようにしたものであるが、静電気では埃を吸着する力が弱く、溝の埃を除去することが困難である。
【先行技術文献】
【特許文献】
【０００７】
【特許文献１】特開２００４−２９８６５０
【特許文献２】特開２００８−２９８００
【特許文献３】特開２０１０−２５３１６６
【発明の概要】
【発明が解決しようとする課題】
【０００８】
本発明は、上記のような課題を解決し、家具、パソコン、建物内部の床壁、建具の桟等の凹凸のある面や細かい隙間や隅部に付いた埃を目で確認しながら掃出し刷毛状部材で掃出し、捕捉部材で捕獲して取り除き、簡便且つ安価に製造することができる埃除去具を提供しようとするものである。
【課題を解決するための手段】
【０００９】
上記課題を解決するために、本発明は、刷毛状部材保持部の先端に掃出し刷毛状部材が装着され、当該刷毛状部材保持部の周囲に前記掃出し刷毛状部材によって除去された埃を捕捉するための捕捉部材が装着されていることを特徴とする埃除去具である。
【００１０】
また、請求項２の発明では、前記捕捉部材には、多数の切り込みが形成されていることを特徴とするものである。
【００１１】
また、請求項３の発明では、前記捕捉部材は、繊維集合体又は、不織布等のシート体で形成されていることを特徴とするものである。
【００１２】
また、請求項４の発明では、前記捕捉部材は、帯電性を有する部材で形成されていることを特徴とするものである。
【００１３】
また、請求項５の発明では、前記捕捉部材は、刷毛状部材保持部に着脱可能に取り付けされていることを特徴とするものである。
【００１４】
また、請求項６の発明では、前記刷毛状部材は、刷毛状部材保持部に着脱可能に取り付けされていることを特徴とするものである。
【発明の効果】
【００１５】
本発明は、刷毛状部材保持部の先端に掃出し刷毛状部材が装着され、当該刷毛状部材保持部の周囲に前記掃出し刷毛状部材によって除去された埃を捕捉するための捕捉部材が装着されているため、家具、パソコン、建物内部の床壁、建具の桟等の凹凸のある面や細かな隙間や隅部の埃を掃出し刷毛状部材によって掃き出すことで、溝の細かい埃も確実に取り除くことができ、掃き出された埃を刷毛状部材保持部の周囲に装着した捕捉部材によって捕獲するため、埃を素早く捕獲できる。また、当該刷毛状部材保持部の先端に掃出し刷毛状部材を装着することで細かい部分の溝や凹凸部分を目で確認しながら埃を除去できる。また、刷毛状部材と捕捉部材の装着部を別々にすることにより、埃除去具が汚れ洗った場合早く乾くので衛生的である。
【００１６】
また、捕捉部材に多数の切り込みを設けることにより、掃出し刷毛状部材によって掃き出された埃が捕捉部材に絡みやすくなり効果的に埃を捕獲できる。
【００１７】
また、捕捉部材を静電気を帯電できる素材にして埃を吸着することで更に捕捉効果が高くなる。
【００１８】
また、捕捉部材を着脱可能にすることで、捕捉部材が汚れた場合は、捕捉部材を取り替え、掃出し刷毛状部材は洗って使用できるので経済的である。
【００１９】
また、掃出し刷毛状部材を着脱可能にすることで、掃出し刷毛状部材が傷んだ場合は、掃出し刷毛状部材を取り替えできるので経済的である。
【図面の簡単な説明】
【００２０】
【図１】本発明の実施例１を示す斜視図である。
【図２】本発明の実施例１を示す分解図である。
【図３】本発明の実施例２を示す斜視図である。
【図４】本発明の実施例２を示す分解図である。
【発明を実施するための形態】
【００２１】
以下、本発明の実施形態について図面を参照して説明する。
【実施例１】
【００２２】
図１は、本発明の実施例１を示す斜視図である。この実施例１では、刷毛状部材保持部９の先端に掃出し刷毛状部材３を設け、刷毛状部材保持部９の周囲に繊維集合体捕捉部材４cを装着し、使用者が持ちやすいように把持具７を設けている。先端の掃出し刷毛状部材３により溝や隅部の埃を掃出し、掃き出した埃を繊維集合体捕捉部材４ｃで素早く捕獲することができる。また、捕捉部材を繊維集合体にしているので、多少の凹凸面に付いた埃は、繊維集合体捕捉部材４cで捕獲することができる。また繊維集合体捕捉部材４cは、刷毛状部材保持部９に着脱でき、繊維集合体捕捉部材４cが汚れた場合は取り外して洗い、掃出し用刷毛状部材３も洗って使用できるのでいつも清潔を保つことができ且つ経済的である。
【００２３】
図２は、本発明の実施例１の分解図である。刷毛状部材保持部９の周囲に繊維集合体捕捉部材４cをマジックテープ（登録商標）等により巻き付けて装着する。また、捕捉部材４c中央部分を筒状にし把持具７の先端部分より挿入し装着してもよい。
【実施例２】
【００２４】
図３は、本発明の実施例２を示す斜視図である。この実施例２では、刷毛状部材保持部９の先端に掃出し刷毛状部材３を設け、刷毛状部材保持部９の周囲にシート体捕捉部材４ｄを装着し、使用者が持ちやすいように把持具７を設けている。先端の掃出し刷毛状部材３により溝や隅部の埃を掃出し、掃き出した埃をシート体捕捉部材４dで素早く捕獲することができる。また、シート体捕捉部材４dを複数枚重ねた不織布等のシートにし、またシート体捕捉部材４dは、シートの長さを長短混合にした場合は、多少の凹凸面に付いた埃をより効果的に捕捉部材で捕獲することができる。また、シート体捕捉部材４ｄは、端部に切り込み６を設けることにより、埃が絡みやすくなり埃を更に効果的に捕獲できる。またシート体捕捉部材４ｄは、刷毛状部材保持部９に着脱でき、シート体捕捉部材４ｄが汚れた場合は取り外して新しい捕捉部材と交換し、掃出し用刷毛状部材３は洗って使用できるのでいつも清潔を保つことができ且つ経済的である。
【００２５】
図４は、本発明の実施例２の分解図である。刷毛状部材保持部９の先端に設けた掃出し刷毛状部材３は刷毛状部材保持部９に着脱可能で、シート体捕捉部材４dを刷毛状部材保持部９に着脱するさいには、この実施例２では刷毛状部材３を刷毛状部材保持部９より取り外し、シート体捕捉部材４dの中央部の筒状部１０に刷毛状部材保持部９を挿入し、挿入後に、刷毛状部材３を刷毛状部材保持部９に装着する。捕捉部材は、刷毛状部材保持部９に巻き付けるように装着してもよい。
【符号の説明】
【００２６】
３    掃出し刷毛状部材
４c   繊維集合体捕捉部材
４d   シート体捕捉部材
６    切り込み
７    把持具
９    刷毛状部材保持部
１０  筒状部
【図１】
2012228502.tif 000003
【図２】
2012228502.tif 000004
【図３】
2012228502.tif 000005
【図４】
2012228502.tif 000006
【手続補正書】
【提出日】平成24年7月25日(2012.7.25)
【手続補正１】
【補正対象書類名】明細書
【補正対象項目名】０００９
【補正方法】変更
【補正の内容】
【０００９】
上記課題を解決するために、本発明は、刷毛状部材保持部の長手方向一端部に装着された掃出し刷毛状部材と、前記刷毛状部材保持部の短手方向外周囲を覆うように装着された前記掃出し刷毛状部材によって除去された埃を捕捉するための筒状の捕捉部材を有することを特徴とする埃除去具である。
【手続補正２】
【補正対象書類名】明細書
【補正対象項目名】００１０
【補正方法】変更
【補正の内容】
【００１０】
また、請求項２の発明では、前記捕捉部材は、刷毛状部材保持部に着脱可能になっていることを特徴とするものである。
【手続補正３】
【補正対象書類名】明細書
【補正対象項目名】００１３
【補正方法】変更
【補正の内容】
【００１３】
また、請求項５の発明では、前記刷毛状部材は、刷毛状部材保持部に着脱可能に取り付けされていることを特徴とするものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明は、刷毛状部材保持部の長手方向一端部に掃出し刷毛状部材が装着され、当該刷毛状部材保持部の短手方向外周囲を覆うように前記掃出し刷毛状部材によって除去された埃を捕捉するための捕捉部材が装着されているため、家具、パソコン、建物内部の床壁、建具の桟等の凹凸のある面や細かな隙間や隅部の埃を掃出し刷毛状部材によって掃き出すことで、溝の細かい埃も確実に取り除くことができ、掃き出された埃を刷毛状部材保持部の短手方向外周囲を覆うように装着した捕捉部材によって捕獲するため、埃を素早く捕獲できる。また、当該刷毛状部材保持部の先端に掃出し刷毛状部材を装着することで細かい部分の溝や凹凸部分を目で確認しながら埃を除去できる。また、刷毛状部材と捕捉部材の装着部を別々にすることにより、埃除去具が汚れ洗った場合早く乾くので衛生的である。
【手続補正６】
【補正対象書類名】特許請求の範囲
【補正対象項目名】全文
【補正方法】変更
【補正の内容】
【特許請求の範囲】
【請求項１】
刷毛状部材保持部の長手方向一端部に装着された掃出し刷毛状部材と、前記刷毛状部材保持部の短手方向外周囲を覆うように装着された前記掃出し刷毛状部材によって除去された埃を捕捉するための筒状の捕捉部材を有する埃除去具。
【請求項２】
前記捕捉部材は、刷毛状部材保持部に着脱可能になっている請求項１記載の埃除去具。
【請求項３】
前記捕捉部材は、繊維集合体又は、不織布等のシート体で形成されている請求項１又は２のいずれかに記載の埃除去具。
【請求項４】
前記捕捉部材は、帯電性を有する部材で形成されている請求項１から３のいずれかに記載の埃除去具。
【請求項５】
前記刷毛状部材は、刷毛状部材保持部に着脱可能に取り付けされている請求項１から５のいずれかに記載の埃除去具。